(57)【要約】  【課題】パネル材に穿孔された取付孔の上方に障害物がある場合やパネル材の上面側に形成されている空間の高さが低い場合でも取付可能で、且つ、パネル材の厚みが比較的厚い場合でも安定して取り付けることができ、その上、組立性および施工性の良い埋込型照明器具を提供する。  【解決手段】器具本体１０と、軸部１８により器具本体１０に対して上下方向へ首振可能に支持され器具本体１０の側方でパネル材３０上に配置される点灯装置部２０とを備える。軸部１８は、点灯装置部２０に固定してあって、器具本体１０の上下方向に沿って形成された長孔状の連結孔１２ｃに挿通されており、点灯装置部２０の水平を維持しつつ上下方向における器具本体１０と点灯装置部２０との相対的な位置が可変となる状態で器具本体１０と点灯装置部２０とを結合している。【選択図】      図１
2005158465.tif 000002
【特許請求の範囲】
【請求項１】
パネル材に穿孔された取付孔に下方から挿入してパネル材に取り付けられる器具本体と、器具本体に対して上下方向へ首振可能に支持され器具本体の側方でパネル材上に配置される点灯装置部とを備えた埋込型照明器具であって、器具本体に対して点灯装置部を首振可能に支持する軸部が、点灯装置部の水平を維持しつつ上下方向における器具本体と点灯装置部との相対的な位置が可変となる状態で器具本体と点灯装置部とを結合していることを特徴とする埋込型照明器具。
【発明の詳細な説明】
【技術分野】
【０００１】
本発明は、埋込型照明器具に関するものである。
【背景技術】
【０００２】
従来より、天井などに埋込配置される埋込型照明器具として、例えば、図５に示すように、器具本体１０と、ランプ１の点灯装置の構成部品が取り付けられた金属製の点灯装置取付板２１とを一体化したものが知られている（例えば、特許文献１参照）。
【０００３】
点灯装置取付板２１は、図５の左右方向を長手方向とする矩形板状に形成されており、ランプ１を点灯させる安定器３を収納した安定器ボックス４が取り付けられ、安定器ボックス４には、安定器３からランプ１へ給電するための端子台５が結合されている。なお、図５に示す構成の埋込型照明器具では、点灯装置取付板２１、安定器３、安定器ボックス４、端子台５などにより点灯装置部２０を構成しており、点灯装置部２０が器具本体１０に一体化されている。
【０００４】
器具本体１０は、ランプ１が収納されるランプ収納体１１と、ランプ収納体１１に結合された天板１２とを備えている。ランプ収納体１１は、下面に開口窓１１ａを有する椀状に形成されており、天井板からなるパネル材３０に穿孔された円形状の取付孔３０ａに下方から挿入してパネル材３０に取り付けられるものである。ここに、ランプ収納体１１には、下端縁の全周に亙って外方へ延設された外鍔部１１ｂとの間にパネル材３０における取付孔３０ａの周部を挟持する一対の取付金具（図示せず）が設けられている。また、ランプ収納体１１は、ランプ１を挿通可能な挿通孔１１ｃが周壁の上部に形成されている。
【０００５】
一方、天板１２は、図５の左右方向を長手方向とする矩形板状に形成されており、長手方向の一端側がランプ収納体１１の上壁に重なり且つ長手方向の他端側で下面側に配置されたランプソケット２が挿通孔１１ｃの側方に位置するようにランプ収納体１１に結合されている。なお、ランプソケット２と上述の端子台５とは絶縁被覆電線からなる電線（図示せず）により接続されている。
【０００６】
天板１２は、長手方向の他端部の両側縁それぞれから下方へ支持片１２ｂ’が延設されており、点灯装置取付板２１における器具本体１０側の端部の両側縁それぞれから延設された連結片２２’の一部が支持片１２ｂ’に重ねて軸ねじからなる軸部１８により結合されている。この構成により、点灯装置取付板２１は、器具本体１０に対して上下方向に首振可能となっている。つまり、点灯装置部２０は軸部１８により器具本体１０に対して首振可能に支持されている。なお、点灯装置取付板２１は、器具本体１０から遠い側の端縁から下方へ垂下片２４が延設されており、垂下片２４の下端縁からはパネル材３０の上面に当接する当接片２５が延設されている。
【０００７】
図５に示す構成の埋込型照明器具の施工時には、まず、器具本体１０に対して点灯装置部２０を回動させた状態でパネル材３０の取付孔３０ａに下方から点灯装置部２０を挿入し、その後、点灯装置部２０における器具本体１０から遠い側の端部がパネル材３０における取付孔３０ａから徐々に離れていくとともに器具本体１０の上面と取付孔３０の開口面とのなす角度が小さくなっていくようにランプ収納体１１を取付孔３０ａへ挿入し、最終的にランプ収納体１１の外鍔部１１ｂと取付金具との間にパネル材３０における取付孔３０ａの周部を挟持すればよい。
【０００８】
また、従来から、パネル材３０の取付孔３０ａの上方に配設されている空調ダクトを回避して取り付けることができるようにした埋込型照明器具として、図６に示す構成のものが提案されている。図６に示す構成の埋込型照明器具は、器具本体１０の高さ寸法（上下方向の寸法）を小さくするとともに、器具本体１０と点灯装置部２０とを一体化せずに器具本体１０側のランプソケット２と点灯装置部２０側の端子台５とをコード６により繋いでいる。ここにおいて、コード６は、器具本体１０と点灯装置部２０とを離間して配置できるように複数の絶縁被覆電線を絶縁性を有するフレキシブルチューブからなるシースに収納したものである。なお、図５に示した構成では器具本体１０と点灯装置部２０とが一体化されているので、上述のようなシースを設ける必要はない。また、図６における点灯装置部２０の点灯装置取付板２１は、安定器ボックス４が上面に載置される矩形板状に形成されており、両端縁に段差部２３を介して当接片２５が形成されている。
【０００９】
図６に示す構成の埋込型照明器具の施工時には、まずパネル材３０の取付孔３０ａの下方から点灯装置部２０を取付孔３０ａへ挿通して点灯装置部２０をパネル材３０の上側に載置してから、器具本体１０を取付孔３０ａへ挿入してパネル材３０へ取り付ければよい。
【特許文献１】特開平１０−２１４５１５号公報
【発明の開示】
【発明が解決しようとする課題】
【００１０】
ところで、図５に示した構成の埋込型照明器具では、器具本体１０の高さ寸法が比較的小さいので、パネル材３０の厚み寸法が大きくなると、施工完了状態において図５に示すように点灯装置取付板２１における器具本体１０から遠い側の端部が器具本体１０に近い側の端部よりもパネル材３０からの距離が大きくなって点灯装置部２０が傾いた状態となる。このようにパネル材３０の厚み寸法が大きいと、施工時に、外鍔部１１ｂと天井面（パネル材３０の下面）との間に隙間があくように力が加わっているから、器具本体１０が不安定な取り付け状態となってしまう。このため、図５に示した構成の埋込型照明器具では、取付孔３０ａの上方に障害物となる空調ダクトが配設されていていたり、パネル材３０の上面側に形成されている空間の高さが低いときなどのように、器具本体１０の高さ寸法を小さくするとともにランプ１として薄型のランプ（例えば、全体として薄型の形状に形成されたコンパクト形蛍光ランプ）を使用する必要がある場合には、対応できなかった。
【００１１】
また、図６に示した構成の埋込型照明器具は、器具本体１０と点灯装置部２０とが一体化されておらず、器具本体１０側のランプソケット２と点灯装置部２０側の端子台５とをコード６により繋がれているものであるから、組立性および施工性が良くなかった。特に、施工時には、取付孔３０ａへ点灯装置部２０と器具本体１０とを別々に挿入する必要があり、施工性が良くなかった。
【００１２】
本発明は上記事由に鑑みて為されたものであり、その目的は、パネル材に穿孔された取付孔の上方に障害物がある場合やパネル材の上面側に形成されている空間の高さが低い場合でも取付可能で、且つ、パネル材の厚みが比較的厚い場合でも安定して取り付けることができ、その上、組立性および施工性の良い埋込型照明器具を提供することにある。
【課題を解決するための手段】
【００１３】
請求項１の発明は、パネル材に穿孔された取付孔に下方から挿入してパネル材に取り付けられる器具本体と、器具本体に対して上下方向へ首振可能に支持され器具本体の側方でパネル材上に配置される点灯装置部とを備えた埋込型照明器具であって、器具本体に対して点灯装置部を首振可能に支持する軸部が、点灯装置部の水平を維持しつつ上下方向における器具本体と点灯装置部との相対的な位置が可変となる状態で器具本体と点灯装置部とを結合していることを特徴とする。
【００１４】
この発明によれば、器具本体に対して点灯装置部が首振可能に支持され、器具本体に対して点灯装置部を首振可能に支持する軸部が、点灯装置部の水平を維持しつつ上下方向における器具本体と点灯装置部との相対的な位置が可変となる状態で器具本体と点灯装置部とを結合していることにより、従来の器具本体に対して点灯装置部が首振可能に支持された埋込型照明器具に比べて、施工完了状態において点灯装置部の水平を維持できるようなパネル材の厚みの範囲が広く、パネル材が比較的厚い場合でも点灯装置部の水平を維持できて器具本体へ点灯装置部からの外力がかかりにくくなって器具本体をパネル材に安定して取り付けることができ、器具本体の高さ寸法を小さくすることができるから、パネル材に穿孔された取付孔の上方に障害物がある場合やパネル材の上面側に形成されている空間の高さが低い場合でも取付可能であり、また、器具本体に対して点灯装置部を首振可能に支持することで器具本体と点灯装置部とが一体化されているので、従来の器具本体と点灯装置部とがコードにより繋がれた埋込型照明器具に比べて、組立性および施工性を良くすることができる。
【発明の効果】
【００１５】
請求項１の発明では、パネル材に穿孔された取付孔の上方に障害物がある場合やパネル材の上面側に形成されている空間の高さが低い場合でも取付可能であり、且つ、パネル材の厚みが比較的厚い場合でも安定して取り付けることができ、その上、組立性および施工性が良いという効果がある。
【発明を実施するための最良の形態】
【００１６】
本実施形態の埋込型照明器具は、図１に示すように、器具本体１０と、光源であるランプ１の点灯装置の構成部品が取り付けられた金属製の点灯装置取付板２１とを一体に連結してある。なお、本実施形態では、全体として薄型の形状に形成されたコンパクト形蛍光ランプをランプ１として採用している。
【００１７】
点灯装置取付板２１は、図１（ａ）の左右方向を長手方向とする矩形板状に形成されており、ランプ１を点灯させる安定器３を収納した安定器ボックス４が複数本の固定ねじ２７を用いて取り付けられるとともに、電子スタータ６が固定ねじ２８を用いて取り付けられ、安定器ボックス４には、安定器３からランプ１へ給電するための端子台５が結合されている。なお、本実施形態では、点灯装置取付板２１、安定器３、安定器ボックス４、端子台５、電子スタータ６により点灯装置部２０を構成しており、点灯装置部２０が器具本体１０に一体化されている。
【００１８】
また、点灯装置取付板２１は、長手方向の両端縁から下方へ垂下片２４が延設されており、垂下片２４の下端縁からはパネル材３０の上面に当接する当接片２５が内方へ延設されている。ここに、点灯装置取付板２１における器具本体１０から遠い側の端縁からは略全長に亙って垂下片２４が延設されているが、器具本体１０に近い側の端縁からは点灯装置取付板２１の短手方向において離間した２つの垂下片２４が延設されている。
【００１９】
器具本体１０は、ランプ１が収納されるランプ収納体１１と、ランプ収納体１１に結合された天板１２とを備えている。なお、ランプ収納体１１と天板１２とは複数本の組立ねじ１３により結合されている。
【００２０】
ランプ収納体１１は、下面に開口窓１１ａを有する椀状に形成されており、天井板からなるパネル材３０に穿孔された円形状の取付孔３０ａに下方から挿入してパネル材３０に取り付けられる。ここに、ランプ収納体１１は、下端縁の全周に亙って外方へ延設された外鍔部１１ｂとの間にパネル材３０における取付孔３０ａの周部を挟持する一対の取付金具１５が設けられている。また、ランプ収納体１１は、ランプ１を挿通可能な挿通孔１１ｃが周壁の上部に形成されている。なお、ランプ１からの光は開口窓１１ａを通して出射される。
【００２１】
一方、天板１２は、図１（ａ）の左右方向を長手方向とする矩形板状に形成されており、長手方向の一端側がランプ収納体１１の上壁に重なり且つ長手方向の他端側で下面側に配置されたランプソケット２が挿通孔１１ｃの側方に位置するようにランプ収納体１１に結合されている。ここにおいて、ランプソケット２は、天板１２に固定ねじ１７を用いて固定されている。なお、ランプソケット２と上述の端子台５とは絶縁被覆電線からなる電線（図示せず）により接続されている。
【００２２】
天板１２は、長手方向の他端部の両側縁それぞれから下方へ支持片１２ｂが延設されており、点灯装置取付板２１における器具本体１０側の端部の両側縁それぞれから延設された連結片２２の一部が支持片１２ｂに重ねて軸ねじからなる軸部１８により結合されている。この構成により、点灯装置取付板２１は、器具本体１０に対して上下方向に首振可能となっている。つまり、点灯装置部２０は器具本体１０に対して首振可能に支持されており、本実施形態の埋込型照明器具は、パネル材３０に穿孔された取付孔３０ａに下方から挿入してパネル材３０に取り付けられる器具本体１０と、器具本体１０に対して上下方向へ首振可能に支持され器具本体１０の側方でパネル材３０上に配置される点灯装置部２０とを備えている。
【００２３】
ところで、上述の軸部１８は、連結片２２に固定してあり、支持片１２ｂに形成された長孔状の連結孔１２ｃに挿通されている。ここに、連結孔１２ｃは、長手方向が器具本体１０の上下方向に一致する長孔状に形成されてり、軸部１８を連結孔１２ｃの長手方向に移動自在にガイドすることができるから、点灯装置部２０を連結孔１２ｃの長手方向に移動自在にガイドすることができる。要するに、本実施形態では、器具本体１０に対して点灯装置部２０を首振可能に支持する軸部１８が、点灯装置部２０の水平を維持しつつ上下方向における器具本体１０と点灯装置部２０との相対的な位置が可変となる状態で器具本体１０と点灯装置部２０とを結合している。
【００２４】
したがって、本実施形態の埋込型照明器具では、図１（ｂ）、図２（ｂ）、図３（ｂ）に示すようにパネル材３０の厚みが異なる場合でも、点灯装置部２０の水平が維持され点灯装置部２０をパネル材３０上に同じ状態で配置することができ、図２（ｂ）のようにパネル材３０の厚み寸法が比較的大きい場合や、図３（ｂ）のようにパネル材３０の厚みが比較的小さい場合でも、器具本体１０へ点灯装置部２０からの外力がかかりにくくなって器具本体１０をパネル材３０に安定して取り付けることができる。なお、図１（ｂ）、図２（ｂ）、図３（ｂ）におけるパネル材３０の厚み寸法をそれぞれｔ２、ｔ３、ｔ１とすれば、ｔ１＜ｔ２＜ｔ３となっている。
【００２５】
本実施形態の埋込型照明器具の施工時には、まず、図４（ａ）に示すように器具本体１０に対して点灯装置部２０を回動させた状態でパネル材３０の取付孔３０ａに下方から点灯装置部２０を挿入し、その後、図４（ｂ）に示すように点灯装置部２０における器具本体１０から遠い側の端部がパネル材３０における取付孔３０ａから徐々に離れていくとともに器具本体１０の上面と取付孔３０の開口面とのなす角度が小さくなっていくようにランプ収納体１１を取付孔３０ａへ挿入し、最終的にランプ収納体１１の外鍔部１１ｂと取付金具１５との間にパネル材３０における取付孔３０ａの周部を挟持すればよい。
【００２６】
以上説明した本実施形態の埋込型照明器具では、器具本体１０に対して点灯装置部２０が首振可能に支持され、器具本体１０に対して点灯装置部２０を首振可能に支持する軸部１８が、点灯装置部２０の水平を維持しつつ上下方向における器具本体１０と点灯装置部２０との相対的な位置が可変となる状態で器具本体１０と点灯装置部２０とを結合していることにより、図５に示した従来構成の埋込型照明器具に比べて、施工完了状態において点灯装置部２０の水平を維持できるようなパネル材３０の厚みの範囲が広くなり、パネル材３０が比較的厚い場合でも点灯装置部２０がパネル材３０上に傾くことなく配置されることになるから、器具本体１０をパネル材３０に安定して取り付けることができる。したがって、図５に示した従来構成の埋込型照明器具に比べて、器具本体１０の高さ寸法を小さくすることができるから、図４に示すようにパネル材３０に穿孔された取付孔３０ａの上方に障害物（例えば、空調ダクトなど）４０がある場合やパネル材３０の上面側に形成されている空間（本実施形態では、天井裏の空間）の高さが低い場合でも安定して取付可能となる。
【００２７】
また、本実施形態の埋込型照明器具では、上述のように器具本体１０に対して点灯装置部２０を首振可能に支持することで器具本体１０と点灯装置部２０とが一体化されているので、図６に示した従来構成の埋込型照明器具のように器具本体１０と点灯装置部２０とがコード６により繋がれた埋込型照明器具に比べて、組立性および施工性を良くすることができる。
【００２８】
なお、上記実施形態では軸部１８が点灯装置部２０に固定されていて器具本体１０に形成された連結孔１２ｃに沿って上下方向に移動可能となっているが、軸部１８を器具本体１０に固定して設けるとともに、点灯装置部２０に長孔状の連結孔を設けて点灯装置部２０が上下方向に移動可能となるように構成してもよい。また、上記実施形態では天井に埋込配置する場合としてパネル材３０が天井板である例について例示したが、パネル材３０は天井板に限らず、例えば、棚に埋込配置する場合にはパネル材３０が棚の一部を構成する板状の部材となる。
【図面の簡単な説明】
【００２９】
【図１】実施形態を示し、（ａ）は平面図、（ｂ）はパネル材に取り付けた状態の断面図である。
【図２】同上を示し、（ａ）は平面図、（ｂ）は図１（ｂ）に比べて厚いパネル材に取り付けた状態の断面図である。
【図３】同上を示し、（ａ）は平面図、（ｂ）は図１（ｂ）に比べて薄いパネル材に取り付けた状態の断面図である。
【図４】同上の施工方法の説明図である。
【図５】従来例を示し、パネル材に取り付けた状態の断面図である。
【図６】他の従来例を示し、パネル材に取り付けた状態の断面図である。
【符号の説明】
【００３０】
１  ランプ
２  ランプソケット
３  安定器
４  安定器ボックス
５  端子台
６  電子スタータ
１０  器具本体
１１  ランプ収納体
１２  天板
１２ｂ  支持片
１２ｃ  連結孔
１８  軸部
２０  点灯装置部
２１  点灯装置取付板
２２  連結片
３０  パネル材
３０ａ  取付孔
【図１】
2005158465.tif 000003
【図２】
2005158465.tif 000004
【図３】
2005158465.tif 000005
【図４】
2005158465.tif 000006
【図５】
2005158465.tif 000007
【図６】
2005158465.tif 000008